(57)【要約】【課題】包装状態における不用意な破断を防止し、開封作業時には容易に開封できるシュリンクフィルムを提供する。【解決手段】シュリンクフィルム２０は、加熱により収縮する材料によって形成されており、食品容器１０の表面を覆っている。シュリンクフィルム表面２０Ａには、通気孔２２が形成されており、底面２０Ｂから側面２０Ｃ，２０Ｄの一部にかけては、折り返し部２８と重ならない位置に孔列２４が設けられている。該孔列２４は、多数の長穴２６によって形成されている。前記長穴２６は、孔列２４の延長方向と略直交する方向の長さが、前記孔列２４の延長方向の長さよりも長く設定されている。このため、前記孔列２４を境とする両側に引っ張られても不用意に破断することがない。開封の際には、孔列２４の延長方向に引っ張り続けることによりスムースに開封できる。【選択図】図１
2009035303.tif 000002
【特許請求の範囲】
【請求項１】
被包装体を包装するシュリンクフィルムであって、
複数の孔が一定方向に並んだ孔列を備えるとともに、
前記孔は、前記孔列の延長方向と略直交する方向の長さが、前記孔列の延長方向の長さよりも長く設定されていることを特徴とするシュリンクフィルム。
【請求項２】
前記孔列を、前記被包装体の上面以外の部分に設けたことを特徴とする請求項１記載のシュリンクフィルム。
【請求項３】
前記被包装体のいずれかの面に窪みが形成されているときに、前記孔列を、前記窪みに相当する位置に設けたことを特徴とする請求項１又は２記載のシュリンクフィルム。
【請求項４】
前記孔列を、前記シュリンクフィルムの折り返し部と重ならない位置に設けたことを特徴とする請求項１〜３のいずれかに記載のシュリンクフィルム。
【請求項５】
前記被包装体が、食品容器であることを特徴とする請求項１〜４のいずれかに記載のシュリンクフィルム。
【発明の詳細な説明】
【技術分野】
【０００１】
本発明は、食品容器などの被包装体を密封包装するシュリンクフィルムに関し、更に具体的には、開封性の改善に関するものである。
【背景技術】
【０００２】
カップ麺などの食品容器は、加熱により収縮するシュリンクフィルムによって包装されている。従来は、このようなシュリンクフィルムを引っ張って破るか、あるいは、適宜位置に設けられた開封用のミシン目を利用して開封を行っている。例えば、以下の特許文献１には、シュリンクフィルムによって覆って密封した食品容器の包装体において、前記包装体を覆ったシュリンクフィルムの上面の中央部あるいはいずれかの位置にミシン目を設けるとともに、そのミシン目の開封方向を明示した印を設けたことを特徴とする食品容器の包装体が開示されている。また、特許文献２には、延伸方向を周方向にしてチューブに成形される横一軸延伸プラスチックフィルムの延伸方向と交叉する向きに形成された、線状に点在する比較的大径の孔と、その隣合う孔の列からなるミシン目であること，あるいは、線状に点在する孔の列と、隣合う前記孔同士の間に連続もしくは断続的に延在するハーフカットとからなるミシン目であることを特徴とするシュリンクフィルムの切取り線が開示されている。
【特許文献１】実用新案登録第３０７９０９６号公報
【特許文献２】特開２００３−２６１２７号公報
【発明の開示】
【発明が解決しようとする課題】
【０００３】
しかしながら、以上のような背景技術には次のような不都合がある。まず、特許文献１に記載の技術では、ミシン目の延長方向にスリットを形成しているため開封しやすいものの、その反面、商品を陳列する際に前記ミシン目の両側を両手で持ったり、商品を運搬したりしている最中の衝撃などによって、予期せぬ破断を招くおそれがある。また、前記特許文献２には、ミシン目を形成する孔を、該ミシン目方向に若干伸びた長円形とする例や、孔の間にハーフカットを設ける例が開示されているが、これらの場合も、上述した特許文献１と同様の不都合が生じる。
【０００４】
本発明は、以上の点に着目したもので、その目的は、不用意な破断を防止するとともに、開封作業時には容易に開封することができるシュリンクフィルムを提供することである。
【課題を解決するための手段】
【０００５】
前記目的を達成するため、本発明は、被包装体を包装するシュリンクフィルムであって、複数の孔が一定方向に並んだ孔列を備えるとともに、前記孔は、前記孔列の延長方向と略直交する方向の長さが、前記孔列の延長方向の長さよりも長く設定されていることを特徴とする。
【０００６】
主要な形態の一つは、前記孔列を、前記被包装体の上面以外の部分に設けたことを特徴とする。他の形態は、前記被包装体のいずれかの面に窪みが形成されているときに、前記孔列を、前記窪みに相当する位置に設けたことを特徴とする。更に他の形態は、前記孔列を、前記シュリンクフィルムの折り返し部と重ならない位置に設けたことを特徴とする。更に他の形態は、前記被包装体が、食品容器であることを特徴とする。本発明の前記及び他の目的，特徴，利点は、以下の詳細な説明及び添付図面から明瞭になろう。
【発明の効果】
【０００７】
本発明は、被包装体を包装するシュリンクフィルムに設ける孔列を、該孔列の延長方向と略直交する方向の長さが、前記孔列の延長方向の長さよりも長い複数の孔によって形成することとしたので、包装状態における不用意な開封を防止するとともに、開封作業時には容易に開封できるという効果が得られる。
【発明を実施するための最良の形態】
【０００８】
以下、本発明を実施するための最良の形態を、実施例に基づいて詳細に説明する。
【実施例１】
【０００９】
最初に、図１(A)及び(B)，図２を参照しながら、本発明の実施例１を説明する。図１(A)は本実施例を表側から見た外観斜視図，図１(B)は裏側から見た外観斜視図である。図２は、本実施例の作用を示す図である。図１に示すように、本実施例のシュリンクフィルム２０は、カップ麺などの食品容器１０の表面を覆って密封するものであって、加熱により収縮する公知の材料によって形成されている。本実施例では、前記食品容器１０の底面１２には、図１(B)に示すように凹部１４が形成されている。また、前記シュリンクフィルム２０の表面２０Ａには、食品容器１０の中身を表す商品名や画像などが印刷されるとともに、熱収縮時に空気を外部に排出するための通気孔２２が適宜間隔で複数列（図示の例では４列）形成されている。
【００１０】
前記シュリンクフィルム２０の底面２０Ｂには、側面２０Ｃ及び２０Ｄの一部にかけて連続する孔列２４が一定方向に設けられている。該孔列２４は、多数の長穴２６によって形成されている。該長穴２６は、前記孔列２４の延長方向と略直交する方向の長さが、前記孔列２４の延長方向の長さよりも長くなるように形成されている。前記長穴２６のサイズは、熱収縮後に長径が０．５ｍｍ〜１ｍｍの範囲内（例えば、０．７５ｍｍ程度）となるように予め設定されている。これは、０．５ｍｍより小さいと開封作業時に破れにくく、また、１ｍｍよりも大きくすると、保管場所（工場やコンビニエンスストアのストックヤードなど）において虫が入りやすくなるためである。また、長穴２６の短径は、本実施例では、例えば０．１ｍｍ程度となっており、長穴２６同士の間隔Ｉは、例えば、２ｍｍ程度に設定されている。このような形状の長穴２６を一定方向に並べて孔列２４を形成することによって、該孔列２４を境とする両側にシュリンクフィルム２０を引っ張っても、容易に破断することがない。
【００１１】
更に、前記孔列２４は、シュリンクフィルム２０の底面２０Ｂから側面２０Ｃ及び２０Ｄにかけて形成された折り返し部２８の折り曲げ方向の反対側に形成されている。これは、前記孔列２４を折り返し部２８の折り曲げ方向と同じ側に設けると、折り返し部２８と重なって隠れてしまうとともに、強度が上がって開封時に破断しにくくなるためである。
【００１２】
本実施例の製造方法の一例を説明すると、まず、無地・透明のシュリンクフィルムに商品名や図柄などを印刷する。印刷が施されたロール状のシュリンクフィルムの両端部には、不要な部分があるため、該不要部分を切断する際に、同時に前記長穴２６を開けて孔列２４を形成する。前記長穴２６は、後述する熱収縮工程において裂けることがないように予め大きさが設定されている。この状態では、前記シュリンクフィルムは再びロール状になっている。次に、印刷，不要部の切断，孔列２４の形成が行われたシュリンクフィルムは、食品容器１０のメーカなどに送られる。メーカ側では、前記シュリンクフィルムの両端縁を接合して筒状体を形成し、その内側に食品容器１０を挿入して両端部をシールすると同時に、通気孔２２を形成する。そして、加熱によってフィルムを熱収縮させ、前記食品容器１０の表面に密着させる。なお、熱収縮の際には、フィルムの接合により生じた折り返し部２８は、前記孔列２４と重ならない方向に折り曲げられる。
【００１３】
次に、図２を参照して、本実施例の作用を説明する。以上のような手順でシュリンクフィルム２０によって包装された食品容器１０は、前記長穴２６が、前記孔列２４と略直交する方向に長く形成されているため、運搬や陳列などの際の取扱中に不用意に開封されることがない。一方、シュリンクフィルム２０を開封する際には、図２(A)に示すように、孔列２４を矢印ＦＡ方向，すなわち、長穴２６の短径方向に引っ張る。すると、図２(B)に示すように、長穴２６が裂けて亀裂３０が入る。本実施例では、前記食品容器１０の底面１２に凹部１４が設けられており、シュリンクフィルム底面２０Ｂとの間に若干の空間が存在するために、一層破断が容易となっている。そのまま、図２(B)に示すように、引き続き矢印ＦＡ方向に引っ張ると、亀裂３０が更に大きく裂けるため、図２(C)に矢印ＦＢで示すように、食品容器１０から取り外すことができる。
【００１４】
このように、実施例１によれば、次のような効果がある。
(1)食品容器１０の底面から側面にかけて設けられた孔列２４を、該孔列２４の延長方向と略直交する方向に長径を有する多数の長穴２６によって形成することとしたので、陳列中や運搬中などに不用意に裂けるのを防止するとともに、開封作業時には容易に開封することができる。
(2)前記孔列２４を、食品容器１０の底面から側面にかけて形成することとしたので、商品の顔となる容器上面側を損なうことがない。
(3)前記食品容器１０の底面１２に凹部１４が形成されているため、孔列２４の開封が一層容易となる。
(4)前記孔列２４を、シュリンクフィルムの折り返し部２８の折り曲げ方向の反対側に設けることとしたので、孔列２４を目立ちやすくするとともに、開封性を保つことができる。
(5)前記長穴２６の長径を０．５ｍｍ〜１．０ｍｍの範囲内としたので、開封のし易さを保ちながら、小さい虫などが入り込むのを防止することができる。
(6)印刷が施されたシュリンクフィルムの両端の不要部を切断すると同時に長穴２６を形成することとしたので、製造工程を増やす必要がない。
【００１５】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。例えば、前記実施例では、多数の長穴２６によって孔列２４を形成することとしたが、これも一例であり、孔列２４の延長方向と略直交する方向が長ければ、楕円形や長方形など他の形状としてもよい。
【００１６】
(2)前記実施例では、孔列２４を底面２０Ｂ全体と側面２０Ｃ及び２０Ｄにかけて形成することとしたが、これも一例であり、図１(C)に示すように底面２０Ｂにのみ設けるようにしてもよいし、図１(D)に示すように側面２０Ｃ及び２０Ｄにのみ設けるようにしてもよい。また、上記以外の場所に設けることを妨げるものではなく、包装対象によってはその上面や正面側などに設けるようにしてもよい。
【００１７】
(3)前記実施例で示した製造方法も一例であり、同様の効果を奏するものであれば、公知の各種の手法を用いてよい。
【００１８】
(4)前記作用も一例であり、必要に応じて適宜変更してよい。例えば、前記実施例では、底面側で孔列２４を開封することとしたが、食品容器１０の形状により底面側での開封が困難な場合には、側面側で開封を行うようにしてもよい。
【００１９】
(5)前記食品容器１０の具体的な例としては、カップ麺，インスタント食品，スープなどの容器が挙げられるが、他の公知の各種の食品容器に適用することが可能である。例えば、前記実施例１で示した食品容器１０は、インスタントの焼きそば容器として主に用いられるものであるが、図１(E)に示す食品容器５０のように、ラーメン，うどん，そば用の容器として用いられる円形の容器に適用してもよい。また、本発明のシュリンクフィルムは、食品容器のみならず、他の公知の各種の被包装体全般に適用可能である。
【産業上の利用可能性】
【００２０】
本発明によれば、シュリンクフィルムに設ける孔列を、該孔列の延長方向と略直交する方向の長さが、前記孔列の延長方向の長さよりも長い複数の孔によって形成することによって、不用意な破断を防止しながら、スムースな開封を可能としたので、被包装体を包装するシュリンクフィルムの用途に適用できる。特に、食品容器などの包装の用途に好適である。
【図面の簡単な説明】
【００２１】
【図１】本発明の実施例１を示す図であり、(A)は表側から見た外観斜視図，(B)は裏側から見た外観斜視図，(C)〜(E)は変形例を示す図である。
【図２】前記実施例１の作用を示す図である。
【符号の説明】
【００２２】
１０：食品容器
１２：底面
１４：凹部
２０：シュリンクフィルム
２０Ａ：表面
２０Ｂ：底面
２０Ｃ，２０Ｄ：側面
２２：通気孔
２４：孔列
２６：長穴
２８：折り返し部
３０：亀裂
５０：食品容器
【図１】
2009035303.tif 000003
【図２】
2009035303.tif 000004